Podtech/llm-jp-corpus-v4-ja_patent huggingface dataset:
(57)【要約】      （修正有） 【課題】音楽再生機器を用いて楽曲ＣＤを再生し、聞かせることにより、楽曲に関する情報を楽しみながら総合的に学ぶことのできる楽曲ＣＤ、カード学習装置を提供する。【解決手段】楽曲の楽譜から旋律の一部を拾い出し、編集した楽曲ＣＤと、表裏いずれかの面に、１楽曲の曲名、２作曲者の肖像、３作曲者名、４楽曲の譜面の一部、５学習効果を高めるための情報  を掲載したカードとの組み合わせである。【選択図】図２
2007241209.tif 000002
【特許請求の範囲】
【請求項１】
楽曲の旋律の一部を音源化した楽曲ＣＤと、その楽曲情報を掲載したカードとの組み合わせ。
【発明の詳細な説明】
【技術分野】
【０００１】音楽教材として、音楽の作曲家とその楽曲に関する情報を音源化し、音楽再生装置を用いて楽しく学習させる楽曲ＣＤ、カード学習装置の分野
【背景技術】
【０００２】楽曲に関する情報を学習させるために、曲名・作曲者・旋律を記載した読み札と、それらを表・裏面に分けて記載する取り札を組み合わせた音楽カルタがこれまで考案されている（実用新案出願広告  昭３７−１８８３９）。しかし、読み手は読み札に記載された楽譜の旋律を、ピアノ等の楽器を用いて実際に演奏しなければならず、演奏するには、演奏できるだけの技量が読み手には必要であった。また楽曲のなかにはたとえばピアノ演奏に適さないバイオリン向けの曲などがあり、特定の楽器で演奏するには困難な面があった。このように、誰しもが手軽に遊戯できるカルタではなかった。
楽曲に関する情報を学習させるため、同じく楽曲を紹介した書籍や楽曲の演奏ＣＤは多く市販されている。しかし、書籍やＣＤからは作曲した人物の名前や肖像、曲名、旋律を容易に覚えることは困難であった。それは、書籍からは旋律を学ぶことができず、ＣＤから演奏された旋律からは、人物の肖像や曲名を学ぶことができなかったからである。様々な情報が個々に記憶されていくが、効果的に記憶するには至らなかったのである。
楽曲を演奏したものを流し、曲名や作曲者を当てるイントロクイズがある。こちらは曲名や作曲者名を完全に覚えていなければ正答とならないため、楽曲に関する既知情報を確認する手段としての色合いが濃く、学習教材には適さなかった。
もし、楽曲の旋律の一部をＣＤなどを用いて再生し、それを聞いてカルタを取ることが可能ならば、楽曲の曲名や作曲者名などの個々の音楽情報も、旋律も楽しみながら覚えることできるようになる。これがコンピュータの普及により可能になった。
カルタを取る際に、市販の楽曲ＣＤを用いると、曲の初めから聞かねばならなかったり、聞かせたい部分を再生する際その頭出しが面倒であったりと、困難が多く見られるが、コンピュータを用いれば、楽譜から必要とする旋律の一部を拾い出し、その箇所を音源化することができる。音源をＣＤ化し、それを再生し聞くことにより、音楽に関する情報を記載したカルタを取ることが可能となり、楽曲に関する情報を総合的に学ぶことのできる本発明へと至った。
【発明の開示】
【発明が解決しようとする課題】
【０００３】音楽再生機器を用いて楽曲ＣＤを再生し、聞かせることにより、楽曲に関する情報を楽しみながら総合的に学ぶことのできる楽曲ＣＤ、カード学習装置を提供する。
【課題を解決するための手段】
【０００４】楽曲の楽譜から旋律の一部を拾い出し、コンピュータを用いて編集した図１の楽曲ＣＤと、表裏いずれかの面に、図２に示すように、１楽曲の曲名、２作曲者の肖像、３作曲者名、４楽曲の譜面の一部、５学習効果を高めるための情報を掲載したカードとの組み合わせである。
【発明の効果】
【０００５】カードを並べ、図１の楽曲ＣＤを音楽機器を用いて再生することにより、図２のカードに掲載された楽曲に関する情報を楽しみながら効果的に覚えることができる。
【発明を実施するための最良の形態】
【０００６】楽曲の旋律の一部をコンピュータの楽譜入力ソフトに入力、もしくは演奏・録音し、編集したものをオーディオＣＤ化する。一方、図２ようにカード表の面にたとえば１楽曲の曲名、２作曲者の肖像を、カード裏面に３作曲者名、４楽曲の譜面の一部、５学習効果を高めるための情報を掲載する。また、図２にあるように、５学習効果を高めるための情報を記載することも可能である。カードは、耐久性のある紙に印刷する。音楽再生機器を用いて楽曲ＣＤを再生し、表あるいは裏に並べられたカードを取る。
【実施例】
【０００７】パーソナルコンピュータやＣＤラジカセなどの音楽再生機器を用いて楽曲をランダム再生し、カードに掲載された楽曲名や作曲者の肖像を手がかりに、並べられたカードを取る遊びを実施する。【０００８】パーソナルコンピュータやＣＤラジカセなどの音楽再生機器を用いて楽曲をランダム再生し、カードに掲載された旋律や楽曲の人物名を手がかりに、並べられたカルタを取る遊びを実施する。
【産業上の利用可能性】
【０００９】一般家庭あるいは教育現場において、楽曲とそれに関連するする情報を意欲的に学習する教材としての利用が可能である。
【図面の簡単な説明】
【００１０】
【図１】楽曲ＣＤを示した平面図である。
【図２】楽曲カード示した平面図である。
【符号の説明】
【００１１】    １  楽曲の曲名
２  楽曲作曲者の肖像
３  作曲者名
４  楽曲の譜面の一部
５  学習効果を高めるための情報
【図１】
2007241209.tif 000003
【図２】
2007241209.tif 000004
(57)【要約】【課題】  メガネを掛ける時耳への負担を無くし、鼻に着脱して使用する軽量なメガネを提供する。【解決手段】  メガネの耳掛けを無くしたメガネであって、レンズをブリッジで固定しブリッジに鼻当て接着部を設け、鼻あて接着部にはシリコンゴム材等の粘着性のある素材を使用した、繰り返し着脱可能であることを特徴とする軽量な鼻着脱式メガネ。【選択図】図１
2007241203.tif 000002
【特許請求の範囲】
【請求項１】
メガネの耳掛けであるテンプルを無くしたメガネであって、鼻に着脱するためにレンズをブリッジで固定し、ブリッジに鼻当て接着部を設けた鼻着脱式メガネ。
【請求項２】
前記鼻に着脱する粘着部材はシリコンゴム材等の粘着性のある素材で繰り返し着脱可能であることを特徴とする請求項１の鼻着脱式メガネ。
【発明の詳細な説明】
【技術分野】
【０００１】  本発明はメガネフレームの耳掛け部分であるテンプルを無くし、鼻に着脱して使うメガネである。
【背景技術】
【０００２】  従来メガネフレームは耳に掛けるテンプルがありこれをメガネが落ちない様に耳に掛けて使用していた。
【発明の開示】
【発明が解決しようとする課題】
【０００３】  そのために次のような問題点があった。
（イ）フレームの両サイドや耳掛け部分が頭や耳を圧迫して、頭痛や痛みが起きる。
（ロ）フレームのテンプルで金属アレルギーが起きる。
（ハ）フレームのテンプルが変形すると、目とレンズの焦点が合わなくなる。
（ニ）外傷等で耳に変形があると、メガネを掛けることができない事がある。
本発明はこれらの問題点を解決するためになされたものである。
【課題を解決するための手段】
【０００４】  メガネの耳に掛けるテンプル部分を無くして、レンズをブリッジで固定し、鼻に当たる部分に医療用シリコンゴム等の粘着性のある素材を使用する。鼻に接着する部分は、手で着脱が可能で繰り返し使用ができる。以上を特徴とする鼻着脱式メガネである。
【発明の効果】
【０００５】  メガネが軽量になりメガネを耳に掛ける煩わしさが改善し、また外傷等で耳にメガネを掛けられない人もメガネを使う事ができる。
【発明を実施するための最良の形態】
【０００６】  以下、本発明の実施の形態について説明する。
（イ）レンズ（１）をブリッジ（４）で固定し、ブリッジ（４）の下方に鼻当て（２）を設ける。
（ロ）鼻あて（２）の鼻に当たる粘着部（３）にノンアレルギー素材で粘着性がある医療用シリコンゴム又は同等の粘着力のある素材を使用する。
本発明は以上の構成よりなっている。
本発明を使用するときは、鼻当て（２）の粘着部（３）を顔の鼻に当てて接着させることにより、レンズ（１）は目の位置にあてがわれるので、そのままメガネとして使用できる。メガネを外すときは、手で取るだけで鼻に当てた粘着部（３）が離れる。
【図面の簡単な説明】
【０００７】
【図１】本発明の全体斜視図
【図２】本発明を上方向から見た斜視図
【図３】本発明の使用状況を示す斜視図
【符号の説明】
【０００８】    １  レンズ
２  鼻あて
３  粘着部
４  ブリッジ
【図１】
2007241203.tif 000003
【図２】
2007241203.tif 000004
【図３】
2007241203.tif 000005
(57)【要約】【課題】従来のフルートは、必ずしも重心位置が奏者の手に合わず、早い動きに物理的な困難を生じていた。これは、フルートの製作過程で急速な早い動きを実現する重心位置を購入者の体のバランスに合わせることが困難だからである。管楽器のほとんどが既製品であるため、重心が奏者のかまえ方にぴったり合うことはごくまれである。【解決手段】奏者の手に合わないバランスの楽器を、管の先端または末端に重心バランサーをつける。または、重心診断した上で楽器制作する。重心位置が両手と唇の三点支持と一致することにより、演奏中の楽器のがたつきを最小限に押さえ、急速な動きでの安定感を最大限に保つことができる。【選択図】図１
2007241202.tif 000002
【特許請求の範囲】
【請求項１】
フルート奏者の重心バランスを診断し、管の先端または末端に重心バランサー（おもり）を装着し、演奏時楽器が不安定になることを最小限に押さえる診断や重心バランサー（おもり）。
【請求項２】
楽器制作前あるいは制作中において、購入者の重心バランスを診断したうえで完成したフルート。あるいは、購入者の重心バランスを診断した上で制作した木管楽器。
【発明の詳細な説明】
【技術分野】
【０００１】  本発明は、木管楽器（フルート）を奏者に合わせ重心調節することに関するものである。
【背景技術】
【０００２】  フルートは、構造上横笛であるため、右手親指、左手人差し指、右手小指の三点で支え、あごに楽器を乗せ、その他の指を自由に動かし、奏するものである。【０００３】  しかし、奏者の身体に合わない場所に重心があり、左右の手に重量の不均衡が生じると、左手親指、人差し指の動きが大きく制限されてしまい、急速な動きが困難になる。
また、重心がずれ各指に楽器の重みが分散されると、指の上げ下ろしが困難になり、早い運指ができず、楽器の上達に大きな障害が生じる。【０００４】  また、分散された楽器の重量を支えるため、あご・唇に楽器が強い圧力で当たるなどストレスが大きくなると、音色や音程を変える微妙な唇の動きも制限され、幅広い音色や音量の変化が困難になる。【０００５】  この改善策として、そのため、管の先端または末端に金属等のウエイトを乗せる、または制作段階で奏者の重心位置を診断し材料を加工する、いずれかの方法で重心を調節することにより楽器を安定させ、両手・唇にかかる重量のバランスを奏者の好みに設定する。【０００６】  両手・唇の動きをもっとも動きやすく快適なバランスに重心調整することにより、特に急速な演奏のさいに起こっている指の上げ下ろしの物理的な障害を取り除くことができる。
【発明の開示】
【発明が解決しようとする課題】
【０００７】  解決しようとする問題点は、横笛であるフルートの重心が演奏者の持ち方・手の大きさに合っていないことで、楽器の支えが不安定になり左人さしゆびのつけ根、および口からあごにかけての負担が大きく、唇および指の動きの自由を奪うことである。
【課題を解決するための手段】
【０００８】  本発明は、管の先端又は末端にウエイトを乗せることによりフルートの重心を調節し、右親指以外の指を自由に動かせるよう調節することを最も主要な特徴とする。
【発明の効果】
【０００９】  本発明は、管の末端に金属などのウエイトをつけ、重心を調節するため、フルートの重心位置を、自由に動かすことが可能になり、右親指で楽器を支えることができ、その他の９本の指の操作が自由になる利点がある。
【発明を実施するための最良の形態】
【００１０】  各人の手の大きさ、指の長さにより最良の重心位置は微妙に異なるため、奏者のかまえ方等を見ながら、ウエイトの重さ・位置、全体のバランスをみて、最良の重心位置に調節する。早い運指になったときの楽器のがたつきによるミスプレイを極限まで押さえることができる。【００１１】  フルートは通常既製品であり、重心バランスを指・唇が自由になるように厳密に購入者に合っていないが、フルート制作者本人にあった重心バランスでは、購入者の手の形や体に合わないため、本発明は、それを調節し、物理的な演奏困難を解決する。
【実施例１】
【００１２】  ゆっくりである曲なら問題ないのだが、難しい運指・急速な曲になるにつれ楽器が不安定になり、ミスが生じる奏者に、楽器バランサーを施し、楽器バランスを最良の状態に安定させる。
【実施例２】
【００１３】  フルートの頭部管を他メーカーのものに変えたため、楽器全体の重量バランスが崩れ、重心がずれたので、その奏者にカウンセリングし、楽器バランサーを施し、自分にあった楽器バランスにする。
【実施例３】
【００１４】  自分にとって最高の音色の楽器を購入したのだが、早い楽章になると、どうも自分が思うように演奏できない奏者にカウンセリングを施し、楽器バランサーを制作して音色、重心位置を奏者にとっての最高の楽器に調整する。
【実施例４】
【００１５】  オーダーメイドの楽器を受注する際、奏者の重心バランス・手の大きさ、楽器をかまえる場所等をカウンセリングし、管素材選択・鋳造等の段階で、重心位置を調整しながら楽器制作を行う。
【産業上の利用可能性】
【００１６】  奏者からの受注を受け、技術者とのカウンセリングを経て、奏者に最もあったバランサーを制作し、重心調整をする。それにより利益を生み出す。【００１７】  フルート制作時に、奏者とのカウンセリングを実施し、かまえ方、手の形、重心位置を分析し、完成後に起こる重力の不均衡を未然に解決する。それにより利益が上がる。【００１８】  フルートに限らず、他の楽器の重心の不均衡による演奏の困難を取り去ることにより、利益を生み出す。
【図面の簡単な説明】
【図１】重心バランサーの実施方法を示した説明図である。（実施例１〜３）
【図２】重心バランサーの実施方法を示した説明図である。（実施例４）
【符号の説明】
１  重心バランサー
２  フルート本体
３  管体を奏者の手にあった重心位置に設定できるように鋳造したり、削ったりする。
４  奏者が最も演奏しやすい重心位置
５  重心バランサーを施す前の重心位置
【図１】
2007241202.tif 000003
【図２】
2007241202.tif 000004
(57)【要約】【課題】検索ソフトウェアで表示されるウェッブサイトなどの広告を閲覧するためにはそこにたどり着く必要があり、時間がかかる。【解決手段】既存もしくは新規開発されたコンピュータ検索ソフトウェアの「お気に入り」「ブックマーク」などの嗜好一時保管項目に、コンピュータソフトウェア広告及び景品賞金プレゼント広告を、インターネット及び物流などの手段によって、また、広告主の買取配布などの方法によって利用者に入手させ、広告及び景品賞金プレゼントを挿入、入れ替え、削除などの制御を行うものである。【選択図】図１
2007241968.tif 000002
【特許請求の範囲】
【請求項１】
パーソナルコンピュータ用の検索ソフトウェアに広告を挿入するコンピュータソフトウェアとその方法。
【請求項２】
パーソナルコンピュータ用の検索ソフトウェアに広告を入れ替えするコンピュータソフトウェアとその方法。
【発明の詳細な説明】
【技術分野】
【０００１】本発明は既存もしくはこれから開発されるコンピュータの検索ソフトウェアに広告及び景品賞金プレゼントを目的とした広告動画もしくは静止画像または文字を挿入する。
【背景技術】
【０００２】近年、パーソナルコンピュータの普及とインターネットの活用により検索ソフトの需要は増加の一途を辿りパーソナルコンピュータの必需ソフトウェアになりつつある。
【発明の開示】
【発明が解決しようとする課題】
【０００３】検索ソフトウェアで表示されるウェッブサイトなどの広告を閲覧するためにはそこにたどり着く必要があり、時間がかかる。
【課題を解決するための手段】
【０００４】既存もしくは新規開発されたコンピュータ検索ソフトウェアの「お気に入り」「ブックマーク」などの嗜好一時保管項目に、コンピュータソフトウェア広告及び景品賞金プレゼント広告を、インターネット及び物流などの手段によって、また、広告主の買取配布などの方法によって利用者に入手させ、広告及び景品賞金プレゼントを挿入、入れ替え、削除などの制御を行うものである。
【発明の効果】
【０００５】本発明を利用することによって、コンピュータ検索ソフトウェア上で安価にそして的確に広告をうつことができる。
【発明を実施するための最良の形態】
【０００６】既存もしくは新規開発されたコンピュータ検索ソフトウェアと結合させるための広告及び景品賞金プレゼント挿入ソフトウェアを開発した。【０００７】既存もしくは新規開発されたコンピュータ検索ソフトウェアと本発明コンピュータ広告及び景品賞金プレゼント挿入ソフトウェアを結合させたソフトウェアを制作またはインターネット上で既存・新規開発されたコンピュータソフトウェアとコンピュータソフトウェア広告及び景品賞金プレゼント挿入システムを擬似に結合させ、コンピュータ検索ソフトウェアの「お気に入り」「ブックマーク」などの嗜好一時保管項目に、インターネット及び物流によって広告及び景品賞金プレゼントを挿入、入れ替え、削除などの制御を行う方法を見出した。
【実施例１】
【０００８】図１は既存もしくは新規開発されたコンピュータ検索ソフトウェアと結合させるための広告及び景品賞金プレゼント挿入ソフトウェアプログラムの詳細説明である。
既存もしくは新規開発されたコンピュータソフトウェアとコンピュータソフトウェア広告及び景品賞金プレゼント挿入システムを結合させた本発明ソフトウェアを制作またはインターネット上で既存もしくは新規開発されたコンピュータソフトウェアとコンピュータソフトウェア広告及び景品賞金プレゼント挿入システムを擬似に結合させ、インターネット及び物流によって広告及び景品賞金プレゼントを挿入、入れ替えるシステム図である。
手段はインターネット及びイントラネットなどの遠隔操作またはソフトのインストールなどの物流的操作によって行う。【０００９】図２は既存もしくは新規開発されたコンピュータソフトウェアと結合させるための広告及び景品賞金プレゼント挿入ソフトウェアの実画面例である。
【産業上の利用可能性】既存もしくは新規開発されたコンピュータ既存ソフトウェアとコンピュータソフトウェア広告及び景品賞金プレゼント挿入システムを結合させた本発明を組み合わせることで、インターネット及び物流によって広告及び景品賞金プレゼントを挿入、入れ替え、削除などの制御を行うことが容易にでき、広告主は、無料もしくは現行よりも低額で利用できる。また、景品賞金プレゼントの入れ替えや内容の変更などが容易に可能となる。
【図面の簡単な説明】
【図１】図１は既存もしくは新規開発されたコンピュータ検索ソフトウェアと結合させるための広告及び景品賞金プレゼント挿入ソフトウェアプログラムの詳細説明である。既存もしくは新規開発されたコンピュータソフトウェアとコンピュータソフトウェア広告及び景品賞金プレゼント挿入システムを結合させた本発明ソフトウェアを制作またはインターネット上で既存もしくは新規開発されたコンピュータソフトウェアとコンピュータソフトウェア広告及び景品賞金プレゼント挿入システムを擬似に結合させ、インターネット及び物流によって広告及び景品賞金プレゼントを挿入、入れ替えるシステム図である。▲１▼  コンピュータ検索ソフトウェアを利用する利用者は嗜好により検索  ▲２▼  よく使うコンピュータ検索ソフトウェアの「お気に入り」「ブックマーク」などの嗜好一時保管項目に保存  ▲３▼  インターネットによるダウンロード物流による店頭販売、広告主買取による配布により本発明をインストールする。▲４▼  本発明は既存もしくは新規開発されたコンピュータ検索ソフトウェアの「お気に入り」「ブックマーク」などの嗜好一時保管項目に動画及び静止画、動・静止文字広告を表示  ▲５▼  既存もしくは新規開発されたコンピュータ検索ソフトウェアの「お気に入り」「ブックマーク」などの嗜好一時保管項目に動画及び静止画、動・静止文字広告を表示することができ、また表示の有無を選択できる。
【図２】図２は既存もしくは新規開発されたコンピュータ検索ソフトウェアと結合させるための広告及び景品賞金プレゼント挿入ソフトウェアの実画面例である。▲１▼  動・静止画像及び音声の入れ替え表示が可能  ▲２▼  動・止文字の入れ替えが可能  ▲３▼  その嗜好一時保管項目全面または一部広告告知が可能
【図１】
2007241968.tif 000003
【図２】
2007241968.tif 000004
(57)【要約】      （修正有）【課題】商売を行う会社及び人が地域へ告知広告をしようとした場合、チラシ広告の制作・流通・配布といった数々の手間とコストをかけないようにする。【解決手段】インターネットの地図情報上に重ね合わせた位置情報に広告、店舗、商品、サービスなどの情報をデータベース化して付加、もしくはエリア別に情報をデータベース化し、一般の利用者に閲覧可能にするシステムを構築する。【選択図】図１
2007241970.tif 000002
【特許請求の範囲】
【請求項１】
インターネットの地図情報上に重ね合わせた位置情報に広告主が載せたい広告の情報をデータベース化して付加、一般の利用者の行動範囲にあわせて閲覧可能にするシステム
【請求項２】
インターネットの地図情報上に重ね合わせた位置情報に広告主が載せたい店舗の情報をデータベース化して付加、一般の利用者の行動範囲にあわせて閲覧可能にするシステム
【請求項３】
インターネットの地図情報上に重ね合わせた位置情報に広告主が載せたい商品の情報をデータベース化して付加、一般の利用者の行動範囲にあわせて閲覧可能にするシステム
【請求項４】
インターネットの地図情報上に重ね合わせた位置情報に広告主が載せたいサービスの情報をデータベース化して付加、一般の利用者の行動範囲にあわせて閲覧可能にするシステム
【発明の詳細な説明】
【技術分野】
【０００１】インターネットの地図情報上に広告、店舗、商品、サービスなどの情報をデータベース化して付加し、閲覧可能なシステムに関すること。
【背景技術】
【０００２】近年、地球温暖化によって紙媒体のチラシなどの広告を減少させ、省資源の必要に迫られている中、同等もしくはそれ以上の利便性をもったものをインターネットでの展開が迫られている。
【発明の開示】
【発明が解決しようとする課題】
【０００３】地球温暖化によって紙媒体のチラシなどが沢山印刷されることによっての樹木の伐採が行われ地球の温暖化のひとつの原因となっている。
また、商売を行う会社及び人が地域へ告知広告をしようとした場合、チラシ広告の制作・流通・配布といった数々の手間とコストがかかる。【０００４】インターネット上では、通信販売情報は多くあるが、利用者本人が買い物する移動可能な範囲の情報はまとめて得ることができない。
【課題を解決するための手段】
【０００５】インターネットの地図情報上に重ね合わせた位置情報に広告、店舗、商品、サービスなどの情報をデータベース化して付加、もしくはエリア別に情報をデータベース化することで一般の利用者に閲覧可能にするシステムを構築することによって、地球の温暖化のひとつの原因となっている紙媒体のチラシなどが沢山印刷されることによっての樹木の伐採などを抑止することができる。
また、商売を行う会社及び人が地域へ告知広告をしようとした場合、チラシ広告の制作・流通・配布といった数々の手間とコストをかけずに済む。
インターネット上では、通信販売情報は多くあるが、利用者本人が買い物する移動可能な範囲の情報を自分で選んで得ることができる。
【発明の効果】
【０００６】一般の利用者にインターネット上で閲覧可能にするシステムを構築することによって、地球の温暖化のひとつの原因となっている紙媒体のチラシなどが沢山印刷されることによっての樹木の伐採などを抑止することができる。【０００７】商売を行う会社及び人が地域へ告知広告をしようとした場合、チラシ広告の制作・流通・配布といった数々の手間とコストをかけずに済む。【０００８】インターネット上では、通信販売情報は多くあるが、利用者本人が買い物する移動可能な範囲の情報を自分で選んで得ることができる。
【発明を実施するための最良の形態】
【０００９】インターネットの地図情報上に重ね合わせた位置情報に広告、店舗、商品、サービスなどの情報をデータベース化して付加、一般の利用者に閲覧可能にするシステムを開発した。【００１０】本発明は地域で商売を行う会社及び人が地域へ告知広告をしようとした場合、告知広告をしようとする企業もしくは個人が本発明に登録し、告知情報を入力するだけで利用が可能である。【００１１】利用者はインターネットで本人が買い物したい移動可能な範囲の情報を自分で選ぶと、本人が得たい地域の告知広告を得ることができる。
【実施例１】
【００１２】図１は本発明利用手順例である。【００１３】図２は本発明ソフトウェアの概念図である。【００１４】図３は本発明のコンピュータソフトウェアの表示画面例である。
【産業上の利用可能性】
【００１５】一般の利用者にインターネット上で閲覧可能にするシステムを構築することによって、地球の温暖化のひとつの原因となっている紙媒体のチラシなどが沢山印刷されることによっての樹木の伐採などを抑止することができる。
商売を行う会社及び人が地域へ告知広告をしようとした場合、チラシ広告の制作・流通・配布といった数々の手間とコストをかけずに済むということから、産業の更なる拡大が期待できる。
インターネット上では、通信販売情報は多くあるが、通信販売は言うに及ばず利用者本人が買い物する移動可能な範囲の情報を自分で選んで得ることができことで、利用者本人がその販売している場所に行き、目で確かめ比較して商品の購入も可能となる。
【図面の簡単な説明】
【図１】図１は本発明利用手順例である。広告主の場合  ▲１▼  知広告をしようとする企業もしくは個人が広告主の情報確認  ▲２▼  告知広告をしようとする企業もしくは個人を確認、本発明利用に該当するかを判断。▲３▼  告知広告をしようとする企業もしくは個人が広告主の広告情報を本人もしくは代行によって入力。▲４▼  広告主の地図上の位置をポイント。▲５▼  広告主の広告情報の管理をおこなう。利用者の場合  １）  自分の位置を地図上または居住地住所もしくは電話番号の入力または、近所の有名施設などの基本情報入力  ２）  徒歩・自動車移動などの希望範囲を自動もしくは選択または手動入力する。３）  希望範囲内の広告情報の閲覧が可能となる。
【図２】本図は本発明ソフトウェアプログラム内容例である。▲１▼  は基本地図情報である。▲２▼  は基本の取扱情報分類などを入力保管管理するデータベースエリアである。▲３▼  は基本の選択エリア情報などを入力保管管理するデータベースエリアである。▲４▼  は広告主の位置をマーキングするデータベースエリアである。▲５▼  は広告主の配達などの稼動範囲を入力するデータベースエリアである。▲６▼  は利用者が自分の位置をマーキングするデータベースエリアである。
【図３】本図は本発明ソフトウェアプログラム実施例である。▲１▼  は入力画面の例である。▲２▼  は地域別情報（店舗）の一覧表示例である。▲３▼  は地域別情報（表示希望種別別）の一覧表示例である。▲４▼  は地域別情報（表示希望分野別）の一覧表示例である。▲５▼  は地域別情報（表示希望商品別）の一覧表示例である。
【図１】
2007241970.tif 000003
【図２】
2007241970.tif 000004
【図３】
2007241970.tif 000005
(57)【要約】【課題】パーソナルコンピュータの普及とインターネットの普及の中、Ｗｅｂもしくは電波及び紙媒体（制作・著作）広告は未だに直接もしくは広告代理店の介在で料金などが処理されている現状下では広告費の低減は期待できない。【解決手段】広告主と広告媒体（制作・著作）主との間もしくはその両者以外の第三者を介在させることによって、広告に広告主と広告媒体（制作・著作）主の両者で共有し、広告料金を軽減もしくは無料にするための本発明（方法及びシステム）で解決することが可能である【選択図】図１
2007241969.tif 000002
【特許請求の範囲】
【請求項１】
ウェッブ及び電波・紙など各種媒体ならびに制作・著作と広告主間の広告料金代償広告（タイアップ広告）システム。
【請求項２】
ウェッブ及び電波・紙など各種媒体ならびに制作・著作と広告主間の広告料金代償広告（タイアップ広告）仲介システム。
【請求項３】
ウェッブ及び電波・紙など各種媒体ならびに制作・著作と広告主間の広告料金代償広告（タイアップ広告）運用システム。
【発明の詳細な説明】
【技術分野】
【０００１】広告主と広告媒体（制作・著作）主との間もしくはその両者以外の第三者を介在させることによっての広告費軽減もしくは無料にするシステム。
【背景技術】
【０００２】パーソナルコンピュータの普及とインターネットの普及の中、Ｗｅｂもしくは電波及び紙媒体広告は未だに直接もしくは広告代理店の介在で料金などが処理されている。
【発明の開示】
【発明が解決しようとする課題】
【０００３】パーソナルコンピュータの普及とインターネットの普及の中、Ｗｅｂもしくは電波及び紙媒体（制作・著作）広告は未だに直接もしくは広告代理店の介在で料金などが処理されている現状下では広告費の低減は期待できない。
【課題を解決するための手段】
【０００４】広告主と広告媒体（制作・著作）主との間もしくはその両者以外の第三者を介在させることによって、広告に広告主と広告媒体（制作・著作）主の両者で共有し、広告料金を軽減もしくは無料にするための本発明（方法及びシステ）で解決することが可能である。
【発明の効果】
【０００５】本発明を利用することによって、今まで広告を出すことができなかった企業もしくは個人も無料もしくは安価で広告の利用ができる。
【発明を実施するための最良の形態】
【０００６】広告主と広告媒体（制作・著作）主が、広告に広告主と広告媒体（制作・著作）主の両者で利点を共有し、広告料金を軽減もしくは無料にするための方法及びシステムを開発した。【０００７】広告主と広告媒体（制作・著作）主と第三者によって、広告に広告主と広告媒体（制作・著作）主の両者で利点を共有し、広告料金を軽減もしくは無料にするための方法及びシステムを開発した。
【実施例１】
【０００８】図１広告主と広告媒体（制作・著作）主と第三者によって、広告に広告主と広告媒体（制作・著作）主の両者で利点を共有し、広告料金を軽減もしくは無料にするための方法及びシステムを開発したものの運用図である。
広告主の要望（値段・時期・条件など）を掲示・広告媒体（制作・著作）主の要望と第三者広告媒体（放送・放映・配布）主の要望を掲示または広告主の要望（値段・時期・条件など）を閲覧・広告媒体（制作・著作）主の要望と第三者広告媒体（放送・放映・配布）主の要望を閲覧し、自社もしくは者の希望に合った条件を検索し照会、紹介するシステム。
【産業上の利用可能性】本発明を利用することによって日本だけではなく、世界的な広告宣伝の利用を本発明のシステムのみで簡易に利用可能となる。
【図面の簡単な説明】
【図１】図１広告主と広告媒体（制作・著作）主と第三者によって、広告に広告主と広告媒体（制作・著作）主の両者で利点を共有し、広告料金を軽減もしくは無料にするための方法及びシステムを開発したものの運用図である。広告主の要望（値段・時期・条件など）を掲示・広告媒体（制作・著作）主の要望と第三者広告媒体（放送・放映・配布）主の要望を掲示または広告主の要望（値段・時期・条件など）を閲覧・広告媒体（制作・著作）主の要望と第三者広告媒体（放送・放映・配布）主の要望を閲覧し、自社もしくは者の希望に合った条件を検索し照会、紹介するシステム。なお、矢印の流通手段は、インターネット及び地上波・通信またはそれに順ずる方法でおこなう。▲１▼  １）広告主の広告対象商品・サービスの登録（値段・時期・条件）。広告主の広告対象商品・サービスの要望登録（値段・時期・条件）も可能。▲２▼  ２）広告媒体（制作・著作）主の用途により検索、広告主の広告対象商品・サービスの要望登録（値段・時期・条件）も可能。▲３▼  １）２）の用途にあった事項を双方で依頼可能。▲４▼  １）２）の用途にあった事項の広告条件を受諾  ▲５▼広告の含まれた作品の放映・放送・掲載・記載及び配布。▲６▼  ２）広告媒体（制作・著作）主と３）インターネット・電波・地上波・紙・誌・本・劇場などの媒体は同一の場合も在りうる。
【図１】
2007241969.tif 000003
(57)【要約】      （修正有）【課題】ＰＤＡを使ったバスロケーションシステムの提供。【解決手段】バスやトラックなどの移動体にＰＤＡとスイッチを載せ停留所や指定されたポイントを通過するたびに運転手がスイッチを押すことで停留所の通過データが更新され移動体の位置情報として運行管理者や利用者に提供される。【選択図】図１
2007241976.tif 000002
【特許請求の範囲】
【請求項１】
路線バスや送迎バス等にＰＤＡとスイッチを車載し、運転手あるいは同乗する補助員が停留所を通過するタイミングでスイッチを押すと事前にプログラミングされているＰＤＡの液晶画面で停留所名が更新され同時にＡＳＰでサーバーの該当する停留所名が更新されインターネット通信網を介して運行管理のためのパソコン画面上でも自動的に設定された秒数ごとの内容の更新が行われ運行管理者は事務所でパソコンを立ち上げているだけで当該車両の現在位置を把握することができるうえ路線バスや送迎バスの利用者は事前に個人所有の携帯電話でサービスを提供しているホームページにアクセスし自分の利用する停留所の１つから３つ前の停留所を任意に選択し指定しておくと自動的に指定された停留所の通過情報が時間表示とともにメールで届き、どこの停留所までバスが来ているかが事前にわかるので時間を無駄にすることなく効率的にバスを利用することができるシステムであるが従来のＧＰＳを利用した方式では運転手が位置情報を発信するために特別な作業を必要とせず常に人工衛星がバスを追尾しつつ緯度と経度でバス停の位置を把握し、基地局で文字情報に変換して地図に落とし込んで利用する方式に対して本システムは運転手が停留所を通過するごとにスイッチを押し停留所名という文字情報をダイレクトにサーバー上で更新させるのが最大の相違点であり、そのことによってシステム全体をシンプルかつ効率的にし設備費用を極端に圧縮し導入をしやすくするものであり従来から路線バスで運転手が行っているボタンを押す作業にＰＤＡのスイッチを同調させることで以前とまったく同じ運転手の業態でありながら新たなバスロケーションサービスという付加価値を生み出すことを可能にするものである。
【発明の詳細な説明】
【技術分野】
【０００１】本発明はＰＤＡとインターネット通信網、携帯電話を用いたバスロケーションシステムである。
【背景技術】
【０００２】従来のバスロケーションシステムはＧＰＳを用い移動体の位置情報を緯度と経度で把握し、基地局で解析して地図上の停留所に当てはめ、インターネット通信網を利用してパソコンや携帯電話のホームページ上でバスの利用者や管理者にバスの位置情報を提供し効率的な運用や利用を促すものでものであるが国が主導で行なわなければならないほどインフラの整備や設備に費用がかかるもので実際に市民がその恩恵を受けるには何年かかるのかわからないほどのものである。
【発明の開示】
【発明が解決しようとする課題】
【０００３】上記のＧＰＳを利用したシステムは国が主導で行っている程の大掛かりなものであるが本システムを導入することで大幅な導入時間の短縮と経費の極端な削減を実現することができるうえにＧＰＳ方式と同様のサービスの内容も維持することが可能になるものである。
【課題を解決しようとする手段】
【０００４】今までの人工衛星を使い位置情報を把握することでロケーションサービスを実施しようとしていた発想を変えて、停留所名という文字情報を移動体からダイレクトに発信して利用することで必要以上に多すぎた情報を整理し、最小限の情報を有効に利用するという発想の転換である。
【発明の効果】
【０００５】課題を解決するに十分な固有の効果を有するものであり、きわめて簡単、単純で安価でありながら利用価値の高い上質のものである。
【発明を実施するための最良の形態】
【０００６】図１はシステムの全体図であり、バスやトラックなどをはじめ車載可能な移動体からの電波をＡＳＰ方式でサーバーで受け、事務所のパソコンや個人の携帯電話に送る仕組み。
図２は車載するＰＤＡとスイッチ。
図３は運行管理用の管理画面の仕様。
図４は携帯電話やパソコンからのメールサービスを受信するための携帯電話登録画面。
現在は移動体の位置を文字情報として送信し利用する方式だが、今後ＧＰＳやＥＴＣなどもろもろのハイテク機器が量産され安価で利用できる環境が整った時点で停留所のある位置だけを人工衛星で把握し文字情報に置き換えて利用する方式に切り替えていくことで位置情報を得るために運転手がボタンを押す必要がなくなりよりシンプルになり得る。
【産業上の利用可能性】
【０００７】現在道路上を通行する移動体は渋滞や事故、雪害等の障害によって時間的に正確な運行は不可能な状態で、特に路線バスや送迎バスなど乗客を乗せるタイプの移動体においては日常的に大きな課題となっており、特に雪国のように極端な時間の遅れが雪害等で余儀無くされる地域ではそのことによるトラブルやストレスは誰もが一度は経験していることである。
運行ダイヤに則した正確な運行は無理であっても利用者が簡単にバスの位置がわかるということは道路状況や天候に左右されずに常に時間的に無駄なく効率的な利用が可能になるということであり、運行管理者にとってもパソコンの画面を見ているだけで車両の位置関係が把握できることは今までのように１台ごとに無線による確認作業や連絡をする必要がなくなり、利用者側と運行者側のミスマッチを解消し精度や利便性が向上することで産業上の利用可能性がある。
【図面の簡単な説明】
【０００８】
【図１】    システム全体図である
【図２】    車載機の平面図である
【図３】    運行管理画面である
【図４】    携帯電話の登録画面である
【符号の説明】
【０００９】    Ａ  バス
Ｂ  トラック
Ｃ  サーバー
Ｄ  パソコン
Ｅ  利用者の携帯電話
Ｆ  ＰＤＡ
Ｇ  スイッチ
Ｈ  運行されているバスのパソコンの管理画面
Ｉ  利用者の携帯電話の登録画面
Ｊ  利用者の携帯電話のバス停通過情報画面
【図１】
2007241976.tif 000003
【図２】
2007241976.tif 000004
【図３】
2007241976.tif 000005
【図４】
2007241976.tif 000006
(57)【要約】      （修正有）【課題】食後に残る包装紙やパックケースのゴミを減少させ、買い手と売り手、利用者とサービス業者の双方が、買う、売る、の関係だけでない楽しくなれる、人間環境を作りだす。【解決手段】打算的な主婦や女性には「お金」料金が安くなる、「家紋合わせ」の料金割引システムを活用します。「家紋」「ふるさと」「誕生日」などの名称を合わせるシステムが、人間関係をつくり解決しています。なお、この照合システム加入店主は、店主の家紋とその他の加入照合名称を、表示した看板をかけて、加入店であることを明示します。一方消費者は「会員証」を始め、いつでも提示できる携帯電話や携帯化粧品、手帳、期券入れケースなどに、家紋とその他の加入照合会の照合名称を表示した、照合会加入証、または加入証明物を発行し、照合の簡易化と利便をはかり固定客の堅持効果を拡大し、課題を解決しています。【選択図】なし【特許請求の範囲】
【請求項１】
家紋と加入会名称などを表示添付した、看板やＨＰ宣伝物と会員証や手帳、カードや磁気カード携帯電話や化粧用品などの携帯物にも表示添付し、看板やＨＰ広告物と会員証や携帯物の表示添付内容を照合することによる営業システム。
【請求項２】
請求項１の、看板広告物の家紋や加入名称などと、会員証や携帯物表示の家紋や加入名称などを照合し、「合致」者「不合」者により割引料金や景品などのサービス率、度合いに差異を設けた営業システム。
【請求項３】
請求項１２，のＨＰの同紋会加入者数ランキングを家紋別に表示加入者を募集、会員が家紋・紋章・加入名称を自由に貼付できる粘着ラベルを発行し、インターネットや他の広告媒体を使用し、娯楽や結婚相談などのサービス活動、通信販売、産地直送など宅配便などを活用した同じ家紋同じ名称を照合する営業システム。
【発明の詳細な説明】
【技術分野】
【０００１】  本発明は、家紋や紋章を、会員証や磁気カードなどに表示し家紋や紋章合わせにより本人の確認と合否により、料金割引率や割引券、景品などを選定配布するものです。
特に伝統文化に関する観光斡旋業や伝統料亭などと、一般の商行為での売り手、買い手の関係を「家紋や紋章」が同じであることにより、信頼関係を築くこをシステムの目的としています。
また、その信頼関係は日本の伝統美の象徴であ「家紋」を、システムの基本に据えることにより、忘れていた隣人愛や物質愛を高めることを目的とした活用システムです。
【背景技術】
【０００２】  従来は、「家紋」も家の紋章も「会員証」「割引カード」携帯物に表示したものはありません。また看板や広告物の家紋と、自分の家紋や加入会名称などを照合して、合致サービスが受けられるシステムはありません。
それは、従来は豆腐屋も魚やも、みんな親戚同様の付き合いができていたからです。
【発明が解決しようとする課題】
【０００３】  第１の課題は、便利さ合理と即席化を追いかけコンビニの時代を定着させてしまった今日。食後に残るのが包装紙やパックケースのゴミの山です。この課題です。
第２課題は、買い手と売り手、利用者とサービス業者の双方が、買う、売る、の関係だけでない楽しくなる環境を作ることです。
【課題を解決するための手段】
【０００４】  第１の課題は、ゴミをできるだけ出さない消費者の意識の改革です。しかし、習慣化してしまったパック食品を、自家製にすることは不可能に近いほどの困難さがあります。
そこで、家紋合わせの料金割引の方法を活用します。打算的な主婦や女性には効果が上げられます。
第２の課題は、豆腐屋も魚屋も器を貸してくれる、従来型の商店を復活すること。それには、安心して買える優れた商品と、店員は料理技能などが伝授できるサービス能力備えること。そしてもう一つの条件は、良好な人間関係の構築です。
そこで家紋合わせのシステム、買い手と売り手の「家紋」が合致したときの喜びは格別で、自然に親族意識が生まれます。その上、特別サービス料金になるのですから、信頼関係が確立され「固定客」になってしまいます。この固定客の堅持こそ、第２の課題を解決する役割を果たします。
また、携帯電話や化粧道具の携帯品に「家紋」を表示することにより、日本の伝統美を愛し、故郷を父母を愛する心を育て、現代社会の課題をも解決しています。
【発明を実施するための最良の形態】
【０００６】  発明の実施の形態について、図面により説明します。
図１は、家紋を表記した看板で照合システム会、加入会の名称を一例とした説明図です。
Ａ．看板の本体。  Ｂ．家紋。で看板に表示した例。  Ｃ．加入会名。で「同じふるさとの会」のふるさと県名の表示例。
図２は、会員証カードに家紋を表示した一例。
▲１▼．会員証。▲２▼．家紋。で会員証カードの表に表示した例。▲３▼．加入会名。で「同じふるさとの会」のふるさと県名の表示例。です。
また、会員証を例にしていますが、個人携帯物、携帯電話や携帯用鏡など化粧用具などに表示して、本照合システムの実用化し効果を上げています。
【発明の効果】
【０００７】  本発明は上述の通りです。
【０００８】  本発明は、買い手売り手、サービス者サービスを受ける人、両者の信頼関係を構築するためのシステムです。
日本の何処の家にもある象徴としての「家紋亅を看板と携帯物に表示し、照合を簡易化し同じ家紋者の出会いと確認の方法を効率化しました。
このシステムの発明は、忘れられていた親戚関係的信頼関係を生み、消費経済効果や自然環境保護（ゴミ減らし）の効果をも上げ、さらに伝統文化「家紋」の継承効果を上げています。
【図面の簡単な説明】
【０００９】
【図１】は、照合システム会の「家紋」を表示した看板を一例とした説明図です。
【図２】は、会員証カードに家紋を表示した一例の説明図です。
【符号の説明】
［図１］は、ＡＢＣ符号。
［図２］は、▲１▼▲２▼▲４▼符号を使用しています。看板と員証の家紋が照合できます。
【図１】
2007241978.tif 000002
【図２】
2007241978.tif 000003
(57)【要約】【課題】水道水の補給以外の方法で水温を下げることができるプール水の冷却機構を提供しようとするもの。【解決手段】プールから引き出されたプール水を流下させ、その際の気化熱によってその水温を低下させ、再びプールに戻すようにした。このプール水の冷却機構では、前記のような態様でプール水を循環させることによって冷却せしめることができる。ここで、プール水の流下中に気体を当接させて熱交換せしめると水温をより低下させることができる。【選択図】なし【特許請求の範囲】
【請求項１】
プールから引き出されたプール水を流下させ、その際の気化熱によってその水温を低下させ、再びプールに戻すようにしたことを特徴とするプール水の冷却機構。
【発明の詳細な説明】
【技術分野】
【０００１】
この発明は、プール水の冷却機構に関するものである。
【背景技術】
【０００２】
従来より夏の一番の楽しみといえば何はともあれプールである（例えば、特許文献１）。
ところで、真夏ともなると気温が３０℃台の後半まで上がる日があり、これにともないプールの水温も３２℃程度にまで昇温することがある。水温がここまで上昇すると如何にプールであっても入っていてもはや限界に近く、日射しの強さとあいまって水浴客もゆでダコになりそうな勢いとなる。よって、冷たい水道水をプール槽にどんどん補給して温度を下げるのであるが、真夏ともなると水不足であって思うに任せないこととなる。
【特許文献１】特許公開２００３−１２９６８４号公報
【発明の開示】
【発明が解決しようとする課題】
【０００３】
そこでこの発明は、水道水の補給以外の方法で水温を下げることができるプール水の冷却機構を提供しようとするものである。
【課題を解決するための手段】
【０００４】
前記課題を解決するためこの発明では次のような技術的手段を講じている。
この発明のプール水の冷却機構は、プールから引き出されたプール水を流下させ、その際の気化熱によってその水温を低下させ、再びプールに戻すようにしたことを特徴とする。このプール水の冷却機構では、前記のような態様でプール水を循環させることによって冷却せしめることができる。ここで、プール水の流下中に気体を当接させて熱交換せしめると水温をより低下させることができる。
ところで、水温が１℃下がるだけでも体感上大きな違いがあるものであり、実用上においても非常に大きな技術的意義を有する。
【発明の効果】
【０００５】
この発明は上述のような構成であり、次の効果を有する。
プール水を循環させることによって冷却せしめることができるので、水道水の補給以外の方法で水温を下げることができるプール水の冷却機構を提供することができる。
【発明を実施するための最良の形態】
【０００６】
以下、この発明の実施の形態を説明する。
この実施形態のプール水の冷却機構は、ポンプ配管によりプール（所謂２５ｍプール）から引き出したプール水を大気中でシャワー状にして２ｍ程度流下させ、その際の気化熱によってその水温を低下させ、再びプールに戻すようにした。そして、前記プール水の流下中に風を当接させて熱交換せしめ、水温をより低下させるようにした。
【０００７】
次に、この実施形態のプール水の冷却機構の使用状態を説明する。
このプール水の冷却機構では、前記のような態様でプール水を引き出して循環させることによって３２℃であった水温を３１℃まで冷却せしめることができ、水道水の補給以外の方法で水温を下げることができた。前記１℃は僅かなもののようにも思えるが、実際は水温が１℃下がるだけでも体感上大きな違いがあった。
【産業上の利用可能性】
【０００８】
プール水の水温は１℃下がるだけでも体感上大きな違いがあるものであり、実用上においても非常に大きな技術的意義を有する。
(57)【要約】【課題】風車回転に際して  風車への追求は、多くあるが  多方面からの風を受ける場合の風コントロール分野が立ち遅れている。船の球状船首・川の流れのよどみ対策など流体的コントロールで解決できる問題である。【解決の手段】風車の回転動力を風車外周の循環風と考え  整流板を配置して隙間のおける風の速度・圧力差を利用して抵抗成分のカルマン渦を吸い取る構造とした。この抵抗成分を有効成分に変換することでより力強い循環風となした。【選択図】図５
2007309308.tif 000002
【特許請求の範囲】
【請求項１】
（１）回転させる風車１へ風２の流れを導くガイド板３がガイド板３に対して隙間４を設けて整流板５を備えた機構を有する風ガイド装置。
【発明の詳細な説明】
【技術分野】
【０００１】風車へ風の流れを導く目的を持って  風車周囲にガイドを設置するが  そのガイド板周辺の流れを効率よく整流する為の機構技術。
【背景技術】
【０００２】従来構造は、図２のごとく  風の流れに対して単純にガイド板３を一枚でガイドする配置が多い。
しかし  一般論として図３の様に流体２という流れの中にガイド板３という形状が存在することでガイド板３の背後に乱れた流体の渦６が存在し  流体のスムースな流れの妨げとなる。
これは、風車への効率的風の導入効果を考えると障害となる。
これを解消する工夫として  従来は、この板に曲面を加えて流線形とすることに加えて  電気的制御  機械的制御等によりガイドの角度を開閉調整したりして  風の流れを改善する工夫がなされてきた。
しかし  あまりに複雑であり逆に風の抵抗体になりかねない現状があった。
少ないスペースにて  風の障害にならず  より単純に改善させる方法として  ガイド板３に更なる工夫を加えて  乱れた風の流れを解消し抵抗要素を少なくすることで効率アップが計られる必要があった。
その工夫で  より低速な風の流れ２にて風車１を回転可能とする。
【発明の開示】
【発明が解決しようとする課題】
【０００３】ガイド板周辺の風について考えると
１  図２において  風２の受風側は、ガイド板３形状に沿って風車側へ流れ込む。
２  風の背面側には、図３のカルマン渦６が発生して流れを乱した状態になる。
風車に対する風の流れをみると、ガイド板３受風側で形成された回転流とカルマン渦６による滞留成分が存在し  回転流とブレーキ作用する抵抗流の差分しか有効成分とならない。
低速度の風で起動させるためには、この抵抗成分を是非とも解消しなければならない。
この解消方法は、滞留した風６をいかなる方法で循環風として導き出すかが必要事項である。
【課題を解決するための手段】
【０００４】図４の様に  このガイド板３に対して風の滞留する背面側に整流板５を隙間４が存在する構成で設けると  隙間部・背面部の圧力差により滞留する風６を受風側の流れに吸い出すことが可能となる。この新たな流れにより背面側の抵抗成分も新たな有効成分の流れとして使うことができる。
この圧力差による流れを引き起こすための存在として  整流板５を設ける  あるいは  隙間４を設ける  ガイド板にスリットを設けるなどガイド板３に機能を持たせるための整流板等の付帯部品を備えた集合体とする構造とした。
この構成で図５の様な風車ガイドとしてみると  ある方向より流れてくる風２は、大別して風の流れ７と風の流れ８になる。
風の流れ７は、ガイド板３に当たりガイド装置内側方向へ流れ込む。このときに発生したガイド板３背面の滞留風６は、受風面側を流れた風の流れ７が隙間４を通過際に圧力差でガイド装置内側方向へ引き込まれ風の流れ９を起こさせる。これにより抵抗成分の背面側抵抗成分が解消することとなる。
【発明の効果】
【０００５】このように  回転体である風車１に対して抵抗の少ない回転流を供給することで自然風を無駄なく循環風として変換し  かつ変動した自然風もダイレクトに風車へ物理的力を加えるのでなく  回転流という流れによることで変動影響を小さくさせることができる。
【発明を実施するための最良の形態】
【０００６】このタイプの風車は、風の流入方向が一定でなく  どの方向からでも受け入れられる構造でなくてはならない。
そのため  風の流入方向がどこであれ  常に風車外周を循環する風の流れに変換できるガイド機構が必要である。
加えて  循環する風の流れを妨げる要素を最小とする機構がこの用途を活用する上で必要条件である。
これに依る回転は、風力発電の用途のほか排気ダクトの羽根車など自然風を利用した小さな動力源として使用可能となる。
【図面の簡単な説明】
【０００７】
【図１】整流板を設けたガイド機構
【図２】一枚板のガイド機構
【図３】流体中にガイド板を配置した状態図
【図４】流体中にガイド板・整流板を配置した状態図
【図５】整流板を設けたガイド機構の風状態図
【符号の説明】
【０００８】１  風車
２  風
３  ガイド板
４  隙間（スリット）
５  整流板
６  カルマン渦（図５に置いては、整流板配置前の発生位置）
７  受風面側風の流れ
８  風の流れ
９  新規に形成された背面側の流れ
【図１】
2007309308.tif 000003
【図２】
2007309308.tif 000004
【図３】
2007309308.tif 000005
【図４】
2007309308.tif 000006
【図５】
2007309308.tif 000007